(57)【要約】【課題】情報掲載誌等の情報媒体による情報発信方法を提供する。【解決手段】情報提供者は、情報掲載誌等の情報媒体に掲載する情報を一般公開情報（一般情報）と特定非公開情報（特定情報）とに分け、一般情報を上記媒体に掲載し、特定情報をインターネットのホームページ上に掲載し、そのホームページアドレス（ＵＲＬ）を入力した画像化情報を上記一般情報とリンクさせて上記媒体に掲載し、情報利用者は、上記媒体に掲載された一般情報を利用すると共に、該一般情報にリンクした画像化情報を所定の読み取りデバイスで読み取り、目的のホームページにアクセスして特定情報を入手し、情報の複合的利用を図り、情報提供者は上記特定情報へのアクセスに基づいて情報利用者、又は広告主に所定のアクセス料を課金する、ことを特徴とする情報掲載誌等の情報媒体による情報発信方法。【選択図】        なし【特許請求の範囲】
【請求項１】
情報提供者は、情報掲載誌等の情報媒体に掲載する情報を一般公開情報（一般情報）と特定非公開情報（特定情報）とに分け、一般情報を上記媒体に掲載し、特定情報をインターネットのホームページ上に掲載し、そのホームページアドレス（ＵＲＬ）を入力した画像化情報を上記一般情報とリンクさせて上記媒体に掲載し、情報利用者は、上記媒体に掲載された一般情報を利用すると共に、該一般情報にリンクした画像化情報を所定の読み取りデバイスで読み取り、目的のホームページにアクセスして特定情報を入手し、情報の複合的利用を図り、情報提供者は上記特定情報へのアクセスに基づいて情報利用者、又は広告主に所定のアクセス料を課金する、ことを特徴とする情報掲載誌等の情報媒体による情報発信方法。
【請求項２】
上記画像化情報の情報保持範囲に情報媒体のシリアルナンバーを付加し、該シリアルナンバーに基づいて、媒体別の画像化情報へのアクセス数を管理することを特徴とする請求項１記載の方法。
【請求項３】
情報提供者は、広告を付加した特定情報をホームページ上に掲載し、情報利用者は、目的のホームページにアクセスして広告を不可した特定情報を入手し、情報提供者は、上記広告を付加した特定情報へのアクセスに基づいて広告主に所定のアクセス料を課金することを特徴とする請求項１記載の方法。
【請求項４】
情報利用者が、上記一般情報を利用すると共に、上記特定情報を入手し、他の情報利用者にアクセスすることにより情報の複合的利用を図ることを特徴とする請求項１記載の方法。
【請求項５】
情報利用者（送信者）は、一般情報として上記媒体に掲載された他の情報利用者（受信者）のコーエオ情報を情報提供者にメール送信し、情報提供者は、上記コード情報に基づいて受信者へ上記送信者のメール情報を送信し、受信者は、任意に、受信したメール情報に基づいて送信者にアクセスすることを特徴とする請求項４記載の方法。
【発明の詳細な説明】
【０００１】
【発明の属する技術分野】
本発明は、情報掲載誌等の情報媒体による情報発信方法に関するものであり、更に詳しくは、一般公開情報（一般情報）と特定非公開情報（特定情報）とに分けて、一般情報を上記媒体に掲載し、特定情報をインターネットのホームページ上に掲載し、そのホームページアドレス（ＵＲＬ）を入力した画像化情報（バーコード、２次元コード、３次元コード、電子透かし等）を上記一般情報とリンクさせて上記媒体に掲載し、上記特定情報へアクセスする情報利用者のアクセスに基づいて情報利用者又は広告主に所定のアクセス料を課金する、情報掲載誌等の情報媒体による情報発信方法に関するものである。本発明は、一般公開情報と特定非公開情報を入力した画像化情報とをリンクさせて例えば情報掲載誌等の紙媒体に掲載し、上記特定非公開情報の利用に基づいて利用者に所定の利用料を賦課する新規課金システムを提供するものとして有用である。
【０００２】
【従来の技術】
従来、情報掲載誌の編集及び制作の方法としては、誰でも見られる情報を文字、写真、図形などを紙媒体に印刷し、情報掲載誌としていた。したがって、特定者しか見られない情報を情報掲載誌に掲載することは、実質上、不可能であった。また、従来、バーコード等の画像化情報を情報掲載誌等に印刷することで、所定のホームページにアクセスできる環境を提供することは知られていたが、それらは、単純に、所定のホームページを開く手段としての利用に留まっていた。また、従来、情報掲載誌を購入することが、掲載情報の利用に対する対価を支払うことであり、一般公開情報と特定非公開情報の利用に対して個別的に所定の利用料を賦課することは行われていなかった。
【０００３】
【発明が解決しようとする課題】
このような状況の中で、本発明者は、上記従来技術に鑑みて、一般公開情報と特定非公開情報とを区別して提供すると共に、これらの情報の利用に対して個別的に所定の利用料を賦課することを可能とする新しい課金システムを開発することを目標として鋭意研究を重ねた結果、上記特定非公開情報を入力した画像化情報へのアクセスに基づいてその利用者に利用料を課金する新しい課金システムを開発することに成功し、本発明を完成するに至った。
本発明は、情報掲載誌等の情報媒体による情報発信方法及び特定非公開情報の利用に対する所定の利用料を課金する方法を提供することを目的とするものである。
【０００４】
【課題を解決するための手段】
上記課題を解決するための本発明は、以下の技術的手段から構成される。
（１）情報提供者は、情報掲載誌等の情報媒体に掲載する情報を一般公開情報（一般情報）と特定非公開情報（特定情報）とに分け、一般情報を上記媒体に掲載し、特定情報をインターネットのホームページ上に掲載し、そのホームページアドレス（ＵＲＬ）を入力した画像化情報を上記一般情報とリンクさせて上記媒体に掲載し、情報利用者は、上記媒体に掲載された一般情報を利用すると共に、該一般情報にリンクした画像化情報を所定の読み取りデバイスで読み取り、目的のホームページにアクセスして特定情報を入手し、情報の複合的利用を図り、情報提供者は上記特定情報へのアクセスに基づいて情報利用者、又は広告主に所定のアクセス料を課金する、ことを特徴とする情報掲載誌等の情報媒体による情報発信方法。
（２）上記画像化情報の情報保持範囲に情報媒体のシリアルナンバーを付加し、該シリアルナンバーに基づいて、媒体別の画像化情報へのアクセス数を管理することを特徴とする上記１に記載の方法。
（３）情報提供者は、広告を付加した特定情報をホームページ上に掲載し、情報利用者は、目的のホームページにアクセスして広告を不可した特定情報を入手し、情報提供者は、上記広告を付加した特定情報へのアクセスに基づいて広告主に所定のアクセス料を課金することを特徴とする上記（１）に記載の方法。
（４）情報利用者が、上記一般情報を利用すると共に、上記特定情報を入手し、他の情報利用者にアクセスすることにより情報の複合的利用を図ることを特徴とする上記（１）に記載の方法。
（５）情報利用者（送信者）は、一般情報として上記媒体に掲載された他の情報利用者（受信者）のコーエオ情報を情報提供者にメール送信し、情報提供者は、上記コード情報に基づいて受信者へ上記送信者のメール情報を送信し、受信者は、任意に、受信したメール情報に基づいて送信者にアクセスすることを特徴とする上記（４）に記載の方法。
【０００５】
【発明の実施の形態】
次に、本発明について、更に詳細に説明する。
本発明において、情報提供者とは、情報掲載誌等の情報媒体に、所定の情報を掲載し、提供する者を意味する。
具体的には、例えば、紙媒体に文字、写真、図形等の情報を印刷し、利用者（ユーザー）に頒布してこれらの情報を有料ないし無料で提供する者が例示される。情報媒体としては、例えば、書物、情報誌、雑誌、新聞、その他の印刷物、広告、ポスター、写真、絵画等が例示されるが、これらに制限されない。また、情報利用者とは、例えば、上記情報掲載誌の利用者であり、これらを有料ないし無料で入手し、掲載された情報を閲覧する者（読者等）を意味する。本発明では、上記情報提供者と、情報利用者が当事者としてあげられるが、情報提供者は、本発明の情報発信方法のシステムを管理する管理者としての立場を含むものであり、実行上、このような管理者を別に配置することも適宜可能である。
【０００６】
また、上記当事者とは別に、上記情報掲載誌に所定の広告を提供する広告主が第三者としてあげられる。更に、例えば、結婚情報雑誌、就職情報雑誌との場合は、上記情報利用者は、自己の個人情報をこれらの情報誌に掲載し、個人情報として発信することができる。
【０００７】
本発明では、例えば情報掲載誌に掲載する情報を一般公開情報（一般情報）と特定者（会員等）向け特定非公開情報（特定情報）とに分け、一般情報を紙媒体に印刷し、特定情報をインターネットのホームページ上に掲載し、そのホームページアドレス（ＵＲＬ）を入力した画像化情報を上記一般情報とリンクさせて（組み合わせて）上記紙媒体に掲載する。情報利用者は、上記紙媒体に掲載された一般情報を閲覧して利用すると共に、該一般情報にリンクして掲載された画像化情報を所定の読み取りデバイスで読み取り、目的のホームページにアクセスして特定情報を入手し、これらの情報の複合的利用を図る。上記方法において、画像化情報としては、例えば、バーコード、２次元コード、３次元コード、電子透かし等が例示されるが、これらに限らず、これらと同効のものであれば同様に使用することができる。また、読み取りデバイスとしては、例えば、読み取り装置付き携帯電話、携帯パソコン、ＰＤＡ、専用スキャナー等が例示されるが、これらに制限されず、これらと同効にものであれば同様に使用することができる。
【０００７】
情報提供者は、上記特定情報へのアクセスに基づいて情報利用者又は広告主に所定のアクセス料を課金する。本発明では、上記画像化情報の情報保持範囲に情報媒体のシリアルナンバーあるいはそれと同効の情報を付加し、該シリアルナンバー等に基づいて媒体別の画像化情報へのアクセス数を集計し、管理することができる。また、情報提供者は、広告を付加した特定情報をホームページ上に掲載し、上記広告を付加した特定情報へのアクセスに基づいて広告主に所定のアクセス料を課金することができる。また、本発明では、例えば、結婚情報誌の場合、情報利用者（例えば、男性、送信者）は、一般情報として上記媒体に掲載された他の情報利用者（例えば、女性、受信者）のコード情報（個人コード、ユーザー名等）を情報提供者（管理者）にメール送信し、情報提供者は上記コード情報に基づいて受信者へ上記送信者のメール情報を送信し、受信者は、任意に、受信したメール情報に基づいて送信者にアクセスすることで、情報利用者は、他の情報利用者にアクセスすることができる。
【０００８】
上記一般情報としては、例えば、不特定多数の利用者に対して一般公開が可能な通常の文字、写真、図形等で構成されるあらゆる種類の情報が対象とされ、また、特定情報としては、特定者（例えば、会員）のみに開示するための文字、写真、図形等の１種以上で構成される特定の情報が対象とされる。
例えば、結婚情報誌、就職情報誌等では、個人の写真情報のみを特定情報として掲載することが例示される。
【０００９】
本発明の要点：
１）一般公開情報→紙などへ印刷    特定者向け情報→画像化情報（ＵＲＬ）情報掲載誌に掲載する情報を一般公開情報と特定者向け情報などの種類に分け、一般公開情報を紙などへ印刷し、特定者向け情報をホームページ上へ掲載して、ホームページアドレス（ＵＲＬ）を画像化情報の情報保持を行い紙などへ印刷して特定者向け情報とのリンクを行う情報掲載誌の情報発信方法。
２）画像化情報のアクセス暦を判別し情報収集
情報掲載誌に掲載する情報を一般公開情報と特定者向け情報などの種類に分け、一般公開情報を紙などへ印刷し、特定者向け情報をホームページ上へ掲載して、ホームページアドレス（ＵＲＬ）を画像化情報の情報として保持し特定者向け情報とのリンクを行いまた、この画像化情報内の情報保持範囲にシリアルナンバーを付加しシリアルナンバーを管理することで、どの情報掲載誌に印刷された画像化情報を利用してアクセス暦を判別し情報収集する画像化情報利用。
３）画像化情報にはバーコード・２次元コード・３次元コード・電子透かしを含む、特定者向け情報のリンク先アドレスおよびシリアルナンバーを画像化情報の情報として保持する場合、バーコード・２次元コード・３次元コード・電子透かしなどを画像化情報とする。
４）画像化情報の情報読み取り専用デバイス
画像化情報の情報読み取り専用デバイスとして携帯電話、携帯パソコン、ＰＤＡ、パソコン、などを公衆回線に接続してインターネット経由で画像化情報のリンク先のホームページを閲覧する情報閲覧方法。
５）利用者側課金
情報掲載誌を利用する読者が、画像化情報を専用デバイス利用によりアクセスする場合、情報掲載誌の情報提供者からアクセス毎に所定の金額が課金される情報閲覧方法。
６）利用者側へ広告付加
情報掲載誌を利用する読者が、画像化情報を専用デバイス利用によりアクセスする場合、情報掲載誌を利用する読者が情報を見る前に情報提供者からの広告などを見る事によりアクセス料および課金が免除される情報閲覧方法。
７）メール私書箱（双方の仲立ち）
情報掲載誌を利用する読者が、一般公開情報と特定者向け情報などを閲覧し、他の情報掲載誌を利用する読者とアクセスを望む場合、情報掲載誌の情報提供者側がメール私書箱的役割（電子メール、郵便私書箱なども含む）を果たし双方のアクセスの仲立ちを行うことができる情報掲載誌利用方法。
８）発信者情報を添付したメール私書箱機能
情報掲載誌を利用する読者が、一般公開情報と特定者向け情報などを閲覧し、他の情報掲載誌を利用する読者とアクセスを望む場合、情報掲載誌の情報提供者側がメール私書箱的役割（電子メール、郵便私書箱なども含む）を果たし双方のアクセスの仲立ちを行うと同時に発信者情報を添付したメール私書箱機能がある情報掲載誌利用方法。
９）結婚を希望する人の情報誌
情報掲載誌の種類として、パンフレット、リーフレット、雑誌、書籍、結婚情報誌などが上げられる。
【００１０】
従来との比較：
１）誰でもが見れる情報と特定者向け情報の住み分け
情報掲載誌の編集および制作の方法として、誰でもが見れる情報を文字、写真、図形などを印刷し情報掲載誌としていた。特定者しか見れない情報を掲載することは出来なかった。
本発明は、誰でもが見れる情報と、特定の人しか見れない情報に分類して、特定の人しか見れない情報をインターネットのホームページ上に掲載して、このホームページのアドレス（ＵＲＬ）をエンコーダを用いて画像化情報に返還し、誰でもが見れる情報とアドレス情報を保持した画像化情報を所定の場所へ印刷をおこない提供する。
２）２次元コード・３次元コード・電子透かし画像へシリアルナンバーを付加情報掲載誌へ画像化情報を印刷する場合、２次元コードとバーコードのどちらかを使用してアクセスできる環境はあった。しかし単一的使用（利用者が利用する情報領域のみ）にとどまっていた。
本発明は、２次元コード・３次元コード・電子透かし画像利用において情報保持領域内に利用者が利用する情報領域と画像化情報提供者（情報提供者）が利用する領域を設けて、画像化情報提供者（情報提供者）領域はグループ単位の画像化情報管理用シリアルナンバーとシリアルナンバー送信用のメールアドレスを付加して画像化情報の利用がアクセス毎にメールアドレスのユーザー名として付いてあるシリアルナンバー情報が画像化情報管理の基へ届くことで、画像化情報の利用状況が把握できる情報掲載誌。
ＳＨ−１２３５４＠ｍａｉａ／ｊｐ
これらは、シリアルＮｏと情報提供者ドメインを示す。
３）画像化情報利用による課金
従来は、情報掲載誌を購入することが情報に対する課金方法であった。情報誌に掲載されている情報毎に課金を行うとか、特定情報提供において課金を行う手段が無かった。
かろうじて、情報毎および特定情報提供のＵＲＬを印刷して携帯端末機およびパソコンにてＵＲＬを打ち込みページ開示時に有料ページであれば課金されると言う状況下であった。
本発明は、紙面より直接、専用デバイス（携帯端末機およびパソコン「スキャナ経由」）を用いて目的情報へ利用者がアクセスした場合に画像化情報経由の課金はなかった。
また画像化情報経由で利用者がアクセスした場合において利用者が情報提供時に画像化情報提供者の提供する広告を見ることにおいて、利用者がアクセスしてもこの課金が生じることなく、第三者の広告主がアクセス課金分を負担する方法。
４）情報掲載誌におけるメール私書箱機能  情報誌利用者は読者登録を行い、個別コードを配布
情報掲載誌の読者間において情報のやり取りを行う場合、情報誌提供者が読者間の仲立ちを行うことがなかった。（電子メールのやり取りに関して）
本発明は、本情報掲載誌の大きな特徴として、読者間の情報交換に関してメール私書箱機能を通じて双方の個人メールアドレスが解かることなくなく、双方の情報のやり取りが行える方法。メール私書箱機能は発信者のメールを管理者側で受け、受信者側へは管理者よりメールが入信している旨の信号を送り、受信者が送信者のメールを開いても発信者のメールアドレスが解からないメール交換方法である。
本情報掲載誌利用者は読者登録を行い、個別コードを持っているこのコードをユーザー名として管理者側へ所定メールアドレスあてに送信する、管理者は送信者のユーザー名をデータベースより検索して誰宛てのメールであるかを判断し受信者のメールアドレス宛てに入信信号を送る、
５）発信者情報を添付したメール私書箱機能
情報掲載誌の読者間において情報のやり取りを行う場合、情報誌提供者が読者間の仲立ちを行う場合発信者情報を添付することはなかった。（電子メールのやり取りに関して）
本発明は、情報掲載誌の特定読者間において情報のやり取りを行う場合、情報誌提供者が特定読者間の仲立ちを行う場合発信者情報を添付することで受信者が安心して本情報誌を利用できるメリットが生まれる。（特定読者は管理者へ身元の関する情報提出）管理者はこの身元を送信者メールアドレス（管理者へ登録してあるメールアドレス）から送信者身元をデータベースから検索して受信者へ添付ファイルとして添付しておき受信者がメールを開き発信者身元が確認できる方法。
【００１１】
【発明の効果】
本発明により、１）情報掲載誌等の情報媒体に掲載する情報を一般公開情報（一般情報）と特定者向け特定非公開情報（特定情報）とに分けて提供することができる、２）特定情報を画像化情報の形で掲載することで特定者に限定して提供することが可能となる、３）特定情報を入力した画像化情報へのアクセスに基づいてその利用料を利用者に賦課することができる、４）公開できない情報部分を特定情報として画像化情報に入力した形で掲載できる、５）特定情報を掲載した情報掲載誌の利用状況を管理することができる、６）特定情報の利用者のみに所定の利用料金を課金する新規課金方法を提供することができる、等の効果が奏される。
【図面の簡単な説明】
【図１】本発明の一実施例のフロー図を示す。
【図２】本発明の一実施例のフロー図を示す。
【図３】本発明の一実施例のフロー図を示す。
【図４】本発明の一実施例における情報の流れを示す。
【図５】本発明の実施例で用いる画像化情報の一例を示す。
【図６】本発明の特定情報へアクセスする方法の一例を示す。
【図７】本発明で用いるシステム図の一例を示す。
【図８】本発明で用いるシステム図の一例を示す。
【図１】
2004334826.tif 000002
【図２】
2004334826.tif 000003
【図３】
2004334826.tif 000004
【図４】
2004334826.tif 000005
【図５】
2004334826.tif 000006
【図６】
2004334826.tif 000007
【図７】
2004334826.tif 000008
【図８】
2004334826.tif 000009